(57)【要約】  いくつかの実施形態は、概して、略垂直方向に延在する回動軸の周囲で回動可能に構成された回動可能なフック本体を含むフックアセンブリに関するものである。いくつかの実施形態によれば、フックアセンブリは、フック本体のうちの底面へ向かって下方に延在する上面の一部によって規定された略垂直切欠き部を含む少なくとも１つのフック部をさらに含むことができる。アセンブリは、回動軸の周囲で回動可能なフック本体を回動させるための回動部材と；収納形態および１つ以上の展開形態でフック本体を受容するよう構成されたフレーム部材とをさらに含むことができる。さらに、フレーム部材は、回動軸の周囲でフック本体を回動状態で固定するよう構成されており、かつ収納方向または展開方向などの１つ以上の指標付けられた方向を規定するための指標付け開口または台座を含むことができる。
2013509326.tif 000002
【特許請求の範囲】
【請求項１】
フックアセンブリであって、
第１の面と第２の面とを規定する回動可能なフック本体であって、前記第１の面と前記第２の面とは所定の厚さを規定するよう離間されており、かつ前記第１および第２の面は、上面を含む複数の面によって境界が定められており、前記回動可能なフック本体は、前記回動可能なフック本体の中心を通る回動軸をさらに規定しており、前記回動可能なフック本体は前記回動軸の周囲で回転するよう構成されている、回動可能なフック本体と、
前記フック本体のうちの、底面へ向けて下方に延在する前記上面の一部によって規定された切欠き部を具備してなる、少なくとも１つのフック部と、
前記回動軸の周囲で回動する状態で前記回動可能なフック本体を受容するよう構成されたフレーム部材と、
を具備してなることを特徴とするアセンブリ。
【請求項２】
前記回動可能なフック本体は、略水平方向に延在する長軸と略垂直方向における短軸とを有する略矩形状を具備することを特徴とする請求項１に記載のアセンブリ。
【請求項３】
前記少なくとも１つのフック部は複数のフック部を具備してなり、前記複数のフック部は、その１つ以上が互いに対して隣接するパターンで、前記フック本体の両端において、かつ互いに対して垂直方向に重ねられるように、配置されていることを特徴とする請求項１に記載のアセンブリ。
【請求項４】
前記フック本体は、少なくとも１つの収納形態および少なくとも１つの展開形態となるよう指標付けられるようになっていることを特徴とする請求項１に記載のアセンブリ。
【請求項５】
前記回動軸の周囲で前記回動可能なフック本体を回動させるための枢軸を具備してなり、前記枢軸は、前記回動可能なフック本体の複数の面のうちの１つ以上に配置された少なくとも１つの回動ピンを具備してなり、かつさらに、
前記フレーム部材によって規定されかつ回動状態で前記少なくとも１つの回動ピンを受容するよう構成された少なくとも１つの回動ピン台座を具備してなることを特徴とする請求項４に記載のアセンブリ。
【請求項６】
前記回動のための手段は、前記回動軸と同一直線上にありかつ前記回動可能なフック本体を通過するロッドをさらに具備してなることを特徴とする請求項１に記載のアセンブリ。
【請求項７】
前記フレーム部材は、前記フレーム部材の後方から延在するハウジングを含み、かつ前記ハウジングは、上面および底面のうちの１つ以上において、スライド状態で機械的なストップピンを受容するよう構成された半円形の開口を規定しており、前記機械的なストップピンは、前記回動可能なフック本体の前記上面および前記底面のうちの１つ以に形成されており、前記半円形の開口は、前記回動可能なフック本体の移動の範囲を制限するよう構成されていることを特徴とする請求項１に記載のアセンブリ。
【請求項８】
前記フレーム部材は、前記フレーム部材の後方から延在するハウジングを含み、前記ハウジングは、１つ以上の指標付け開口を規定しており、かつ前記回動可能なフック本体は、前記回動可能なフック本体から延在する第１の端部と、固定状態で前記１つ以上の指標付け開口に受容されるよう構成された戻り止め部材を含む第２の端部と、を有するフレキシブルなタブ部材をさらに含むことを特徴とする請求項４に記載のアセンブリ。
【請求項９】
前記少なくとも１つの回動ピン台座は、少なくとも２つの丸みのある凸部を規定する断面を有する略円筒形の凹部を規定していることを特徴とする請求項５に記載のアセンブリ。
【請求項１０】
少なくとも１つの回動ピンは、楕円形を規定する断面を有する略円筒形状を有していることを特徴とする請求項９に記載のアセンブリ。
【請求項１１】
前記少なくとも１つの楕円形の回動ピンおよび前記少なくとも１つの回動ピン台座は、それらの間において、前記回動ピンおよび前記回動ピン台座のうちの１つ以上が回転を引き起すべく弾性的に変形させられた際に、前記回動ピンが前記回動ピン台座内で回転可能となるのに十分な間隙を含んでいることを特徴とする請求項１０に記載のアセンブリ。
【請求項１２】
フックアセンブリであって、
第１の面と、前記第１の面に対して略並行な第２の面とを規定する回動可能なフック本体であって、前記第１の面と第２の面とは所定の厚さを規定するよう離間されており、かつ前記第１および第２の面は、上面を含む複数の面によって境界が定められており、前記回動可能なフック本体は、前記回動可能なフック本体を通る回動軸をさらに規定しており、前記回動可能なフック本体は、前記回動軸の周囲で回転するよう構成されている、回動可能なフック本体と、
前記フック本体のうちの、底面へ向けて下方に延在する前記上面の一部によって規定された切欠き部を具備してなる、少なくとも１つのフック部と、
前記回動可能なフック本体の対向する前記上面と前記底面とに配置された一対の回動ピンを具備してなり、かつさらに、フレーム部材において一対の回動ピン台座を具備してなる回動機構であって、前記台座は、前記回動ピンを回動状態で受容するよう構成されており、前記フレーム部材は、前記回動可能なフック本体を収納状態で収容するよう構成されている、回動機構と、
を具備してなることを特徴とするアセンブリ。
【請求項１３】
前記回動軸は、前記回動可能なフック本体の中央領域および前記回動可能なフック本体の端部領域のうちの１つを通って延在していることを特徴とする請求項１２に記載のアセンブリ。
【請求項１４】
水平方向に延在する垂直側部の一部によって規定された略垂直方向切欠き部を具備してなる１つ以上のフック部をさらに具備してなり、かつそれにより、前記回動可能なフック本体の垂直側部を通ってアクセス可能なフック部が垂直方向に規定されていることを特徴とする請求項１２に記載のアセンブリ。
【請求項１５】
前記フック本体は、収納形態と少なくとも１つの展開形態とに、復元可能に固定されるようになっていることを特徴とする請求項１２に記載のアセンブリ。
【請求項１６】
フックアセンブリであって、
回動軸の周囲で回動可能なフック本体と、
前記フック本体の一部によって規定される切欠き部を具備してなる少なくとも１つのフック部と、
前記フック本体の一側に規定される少なくとも１つの回動ピンと、
少なくとも１８０度の移動範囲を有するよう回動状態で前記フック本体を受容するよう構成され、かつ前記フック本体の周縁を実質的に包囲するよう構成された、フレーム部材と、
前記フレーム部材において規定され、かつ少なくとも１８０度の移動範囲を有するよう回動状態で少なくとも１つの回動ピンを受容するよう構成された少なくとも１つの回動ピン台座と、
を具備してなることを特徴とするフックアセンブリ。
【請求項１７】
前記少なくとも１つの回動ピン台座は、指標付けられた状態で、前記少なくとも１つの回動ピンを受容するようになっていることを特徴とする請求項１６に記載のフックアセンブリ。
【請求項１８】
前記フレーム部材は、前記フレーム部材の後面から延在するハウジング部材をさらに具備してなり、かつ前記ハウジングは、前記ハウジングの表面の周囲に弧状パターンで構成された複数の指標付け開口を規定していることを特徴とする請求項１７に記載のフックアセンブリ。
【請求項１９】
前記ハウジングは、機械的なストッパーを受容しかつ前記フック本体の移動範囲を制限するために半円形の開口を規定していることを特徴とする請求項１８に記載のフックアセンブリ。
【請求項２０】
前記フック本体は、前記複数の指標付け開口と係合するよう構成された戻り止め部材をさらに規定しており、かつ前記フック本体は、スライド状態で前記半円形開口と係合するよう構成された機械的なストップピンをさらに規定していることを特徴とする請求項１９に記載のアセンブリ。
【発明の詳細な説明】
【技術分野】
【０００１】
本発明は、概略的には、自動車の内装用の回動可能なフックに関するものである。
【背景技術】
【０００２】
例えば衣類または買い物袋などのさまざまなアイテムを吊るした状態で保持するために、自動車の内装にフックを使用することが公知となっている。さらに、手で収納形態と展開形態とに操作可能なフックを備えることが公知となっている。しかしながら既存のフックアセンブリはある欠点を有している。例えば既存のアセンブリは、水平方向に移動したり開いたりするようには構成されていない。そのため、そうしたフックに応力が加えられた場合にアセンブリが破損する恐れがある。したがって、垂直軸の周囲で回動しかつ水平方向応力に応じることによって、収納方向と展開方向との間で移動可能なフックアセンブリが必要とされている。
【発明の概要】
【発明が解決しようとする課題】
【０００３】
本発明のいくつかの実施形態は、従来のアセンブリの１つ以上の欠点を解消し得る、従来のアセンブリとは異なるフックアセンブリを提供する。
【課題を解決するための手段】
【０００４】
いくつかの実施形態は、フックアセンブリであって：第１の面と、第１の面に略平行な第２の面とを規定する回動可能なフック本体であって、第１および第２の面は所定の厚さを規定するよう離間されており、かつ第１および第２の面は、上面を含む複数の面によって境界が定められており、回動可能なフック本体は、略垂直方向に延在しかつ回動可能なフック本体の中心を通る回動軸をさらに規定しており、回動可能なフック本体は回動軸の周囲で回転するよう構成されている、回動可能なフック本体と；底面へ向けて下方に延在するフック本体の上面の一部によって規定された略垂直切欠き部を備える少なくとも１つのフック部と；フック本体を収納形態で収容するよう構成され、回動軸を中心とした回動状態で回動可能なフック本体を受容するよう構成されたフレーム部材と；を備えるフックアセンブリに関するものである。
【０００５】
いくつかの実施形態は、フックアセンブリであって：第１の面と、第１の面に対して略並行な第２の面とを規定する回動可能なフック本体であって、第１および第２の面は所定の厚さを規定するよう離間されており、かつ第１および第２の面は、上面を含む複数の面によって境界が定められており、回動可能なフック本体は、略垂直方向に延在しかつ回動可能なフック本体を通る回動軸をさらに規定しており、かつ回動軸の周囲で回転するよう構成されている、回動可能なフック本体と；フック本体のうちの底面へ向けて下方に延在する上面の一部によって規定された切欠き部を備える、少なくとも１つのフック部と；回動可能なフック本体の対向する上面と底面とに配置された一対の回動ピンを備え、かつさらにフレーム部材における一対の回動ピン台座を備える回動機構であって、台座が回動ピンを回動状態で受容するよう構成されており、フレーム部材が回動可能なフック本体を収納状態で受容するよう構成されている、回動機構とを備えるフックアセンブリに関するものである。
【０００６】
いくつかの実施形態は、フックアセンブリであって：略垂直方向の回動軸の周囲で回動可能なフック本体と；フック本体の一部によって規定される略垂直方向切欠き部を備える少なくとも１つのフック部と；フック本体の一縁部に規定された少なくとも１つの回動ピンと；少なくとも１８０度の移動範囲を有するよう回動状態でフック本体を受容するよう構成されかつフック本体の周縁を実質的に包囲するよう構成されたフレーム部材と；フレーム部材に形成され、かつ少なくとも１８０度の移動範囲を有するように回動状態で少なくとも１つの回動ピンを受容するよう構成された少なくとも１つの回動ピン台座と；と備えるフックアセンブリに関するものである。
【０００７】
他の利点および強みは、以下の詳細な説明を読み理解することに付随して当業者に明らかとなるであろう。
【図面の簡単な説明】
【０００８】
【図１Ａ】複数の展開ポジションにおける実施形態を示す斜視図である。
【図１Ｂ】収納ポジションにおける実施形態を示す斜視図である。
【図１Ｃ】収納ポジションにおける実施形態を示す斜視図である。
【図２Ａ】両端が同じ形状のフックの実施形態を示す図である。
【図２Ｂ】一端に隣接した回動軸を有する実施形態を示す図である。
【図２Ｃ】複数のフック部と一端に隣接した回動軸とを有する実施形態を示す図である。
【図２Ｄ】上部フック部と下方フック部とを有する実施形態を示す図である。
【図３Ａ】展開形態にある実施形態を示す斜視図である。
【図３Ｂ】収納状態にある実施形態を示す斜視図である。
【図３Ｃ】収納状態にある実施形態を示す斜視図である。
【図４Ａ】収納形態にある実施形態を示す斜視図である。
【図４Ｂ】展開状態にある実施形態を示す斜視図である。
【図４Ｃ】収納形態にある実施形態を示す斜視図である。
【図５Ａ】収納形態にある実施形態を示す斜視図である。
【図５Ｂ】展開形態にある実施形態を示す斜視図である。
【図５Ｃ】収納形態にある実施形態を示す斜視図である。
【図６Ａ】収納形態にある実施形態を示す斜視図である。
【図６Ｂ】展開形態にある実施形態を示す斜視図である。
【図６Ｃ】収納形態にある実施形態を示す斜視図である。
【図７】一実施形態の斜視分解図である。
【図８Ａ】一対の略垂直台座を規定する二位回動ピン台座の平面図である。
【図８Ｂ】複数の等しく離間された台座を規定する四位回動ピン台座の平面図である。
【図９Ａ】２つの丸みのある凸部を有する回動ピンの半径方向断面の平面図である。
【図９Ｂ】４つの丸みのある凸部を有する回動ピンの半径方向断面の平面図である。
【図９Ｃ】６つの丸みのある凸部を有する回動ピンの半径方向断面の平面図である。
【図９Ｄ】８つの丸みのある凸部を有する回動ピンの半径方向断面の平面図である。
【発明を実施するための形態】
【０００９】
いくつかの実施形態において、フックアセンブリは、回動可能なフック本体を備える。このフック本体は、第１の面と、第１の面に略平行な第２の面とを規定することができ、これら第１の面および第２の面は、所定の厚さを規定するよう離間されている。これら第１の面および第２の面は、上面および底面を含む少なくとも４つの面によって境界が定められている。回動可能なフック本体は回動軸をさらに規定でき、この回動軸は、略垂直方向において、中心を通って、あるいは中心を外れて、もしくは回動可能なフック本体の端部において延在する。いくつかの実施形態は、回動可能なフック本体が１つ以上の収納形態および／または展開形態で受け入れられるよう構成されたフレーム部材をさらに含む。このフレーム部材は、回動軸の周囲で回転可能な状態で、回動可能なフック本体を固定するよう構成された収納部材を含むことができる。
【００１０】
いくつかの実施形態は、回動可能なフック本体を元に戻すことができる(復元可能である)ように収納形態および／または１つ以上の展開形態で固定するための手段を付加的に含むことができる。それにより、いくつかの実施形態において、例えば回動可能なフック本体を、フレーム部材と略同一平面上にある収納位置へ元に戻すことができるようにスナップ留めすることができる。さらにいくつかの実施形態では、回動可能なフック本体を、分散されかつ／または指標付けられた１つ以上の展開位置を通るよう回動軸の周囲で回転させることができる。そうした回転は、指で押し引きして小さな押圧力を付与することによって引き起こされ得る。それにより、使用者は、相対的に小さな力で回動可能なフック本体を手で操作するにより、あらかじめ決められた第１、第２、第３またはその他の展開位置を通るように回動可能なフック本体を移動させることができる。したがって、いくつかの実施形態において、子供および／または高齢の使用者はフックアセンブリが容易に使用されることが理解し得る。
【００１１】
ここで、本発明の実施形態を示すことのみを目的とし、限定することは目的としていない図面を参照すると、図１Ａには、フレーム部材１１２に収納された回動可能なフック本体１００を備える実施形態の斜視図が示されている。回動可能なフック本体１００は、上面１０２および底面１０４と、底面１０４へ向けて下方に延在するフック本体１００の上面１０２の一部によって規定される略垂直切欠き部を備えるフック部１１０とを含む。フック本体１００は、おおむね中心にある垂直回動軸１４０の周囲で回転可能であり、かつ０度の収納ポジションに対して測定された９０度の展開角度を有する展開形態１３０ｂの状態で示されている。付加的には、２つの中間ポジション１３０ａ，１３０ｃが破線で示されている。図１Ｂには、第１の収納位置にあるフック本体１００が示されており、かつ図１Ｃには、第２の収納位置にあるフック本体１００が示されている。
【００１２】
図２Ａには、垂直回動軸１４０からおおむね等しく離間された２つのフック部２１０ａ，２１０ｂを有する回動可能なフック本体２９０の正面図が示される。また図２Ａには、上面１０２と底面１０４に配置された一対の対抗する回動ピン部材２００ａ，２００ｂが示されている。図２Ｂには、単一のフック部２１０ａと、対向する端部の付近において上部回動ピン２００ａおよび対向する底部回動ピン２００ｂを通過する垂直回動軸１４０とを有するフック本体２９０が示されている。図２Ｃには、図２Ｂに示されたフック本体と同様の回動可能なフック本体２９０が示されているが、当該フック本体２９０は、３つのフック部２１０ａ，２１０ｂおよび２１０ｃを有する。図２Ｄには、上部回動ピン２００ａおよび対向する底部回動ピン２００ｂを通過する略中央垂直回動軸１４０を有する回動可能なフック本体２９０が示されている。このフック本体２９０は、回動軸１４０からおおむね等しく離間された一対の上部フック部２１０ａ，２１０ｂを含む。図２Ｄのフック本体２９０は、回動軸１４０からおおむね等しく離間された一対の下部フック部２１０ｃ，２１０ｄをさらに含む。下部フック部２１０ｃ，２１０ｄのそれぞれは、フック本体２９０の側方において開口２１２を規定する。この開口２１２は、垂直軸１４０へ向けて延在しており、さらに略垂直開口２１４を含む。フック本体２９０がいくつかの垂直および／または水平に配置されたフック部を含み得ることを当業者は認識するであろう。
【００１３】
図３Ａには、第１の収納形態にある図２Ａのフック本体２９０が示されている。図３Ｂには、回動軸１４０の周囲で回動したフック本体２９０が示されており、かつフック本体２９０は、図３Ｃにおいては第２の収納形態に位置させられている。図４Ａには、第１の収納形態にある図２Ｂのフック本体２９０が示されている。図４Ｂには、回動軸１４０の周囲で回動しているフック本体２９０が示されており、図４Ｃでは第２の収納形態に配置されたフック本体２９０が示されている。図５Ａには、第１の収納形態にある図２Ｃのフック本体２９０が示されている。図５Ｂには、回動軸１４０の周囲で回動しているフック本体２９０が示されており、図５Ｃには第２の収納形態に配置されたフック本体２９０が示されている。図６Ａには、第１の収納形態にある図２Ｄのフック本体２９０が示されている。図６Ｂには、回動軸１４０の周囲で回動しているフック本体２９０が示されており、図６Ｃには第２の収納形態に配置されたフック本体２９０が示されている。
【００１４】
図７には、フック本体９２０が回動軸９４０の周囲で回転するのに十分な空間を備える凹所を規定するハウジング部材９１４を含むフレーム部材９１２を有する実施形態が示されている。ハウジング９１４は、例えば壁構造体に対してフックアセンブリを取り付けるための手段を提供する第１の取り付けタブ９５０ａとハウジングの対向する側に配置された第２の取り付けタブ９５０ｂとをさらに含む。ハウジング９１４は、上部回動ピン台座９３２ａおよび下部回動ピン台座９３２ｂをさらに含み、これらはいずれも、回転状態で上部回動ピン９３０および下部回動ピン(図示せず)を収納するよう構成された円形断面を有している。それゆえ、この実施形態において、回動ピン９３０および／または台座９３２ａ，９３２ｂは、指標付け手段(indexing means)を含まない。
【００１５】
図７をさらに参照すると、ハウジング９１４は、スライド可能な状態で機械的ストップピン９３４を収納するよう適合された半円形の開口９３６を含む。機械的ストップピン９３４と半円形開口９３６との組み合わせは、フック本体９２０の移動範囲を約１８０度の角度に制限するよう機能する。フック本体９２０は、フレキシブルなタブ９３７の端部に配置された戻り止め９３８をさらに備える。戻り止め９３８は、フレキシブルなタブ９３７によって提供される押圧力を受けながら、ハウジング９１４の内面にわたってスライドするよう構成されている。戻り止めは、固定状態となるように指標付け開口９３９ａ，９３９ｂ，９３９ｃと嵌合するようさらに構成されている。指標付け開口９３９ａ，９３９ｂ，９３９ｃと、戻り止め９３８と、フレキシブルなタブ９３７との協働作用は、指標付け手段を提供する。そのためアセンブリは、戻り止め９３８が指標付け開口９３９ｂに固定された際にはフック部９２６が外側方向へ方向付けられる展開形態とすることができ、また、戻り止め９３８が指標付け開口９３９ａまたは９３９ｃのいずれかに固定された際には収納形態とすることができる。いくつかの実施形態は、回動軸９４０と実質的に同一直線上にあるロッド(図示せず)をさらに含むことができる。ロッドは、ハウジング９１４を回動可能な状態でフック本体９２０に連結するよう構成されている。
【００１６】
図８Ａおよび図８Ｂには、フレーム１１２に形成可能でありかつ２００ａおよび／または２００ｂなどの回動ピンを回転可能な指標付け状態で受容するよう構成された代替的な回動ピン台座７００を示す。このため、こうした回動ピン台座を有する実施形態は、回動のための手段を兼ね備えた指標付け手段を提供する。例えば図８Ａにおいて、台座は、適切に形状付けられた回動ピンを受容するよう構成された開口７１０を含む。開口７１０は、等しく離間された、複数のおおむね丸みを帯びた凸部７２０と凹部７２２とを含む。図８Ａの台座は、９０度の展開角度を有する展開ポジションと少なくとも１つの収納ポジション(つまり０および／または１８０度)とを含む二位台座７００を備えている。図８Ｂには、４つのポジション：少なくとも１つの収納ポジションおよび３つの展開ポジション：を有する回動ピン台座７００が示される。このものにおいて、展開角度は４５度、９０度および１３５度となる。図８Ａおよび図８Ｂのいずれも、任意の円形の外側境界を備えるよう図示されている。ただし、当業者は、フレーム１１２などのフレーム部材に台座を形成できること、そのため特定の形状の外側境界は含まれないことを認識するであろう。円形外側境界形状は、本明細書においては図示する目的のためだけに選択されたものであり、これに限定することを意図したものではない。
【００１７】
そうした指標付け台座をさまざまな形態のものとすることができることを当業者は認識するであろう。例えば、適切な指標付け回動ピン台座は、複数の歯状部、例えば円形、楕円形、三角形および／または矩形の歯状部を備えることができる。さらに、そうした歯状部は、等しく離間可能であるが、あるいは所定のパターンに基づいて離間されてもよい。加えていくつかの台座は、まったく指標付けられていなくてもよい。例えば、いくつかの実施形態は、１つの指標付け台座と、１つの非指標付け台座とを含むことができる。さらに他の実施形態は、指標付け台座を含まず、代わりに円形断面などを有する一対の非指標付け台座を含むことができる。
【００１８】
図９Ａ，図９Ｂ、図９Ｃおよび図９Ｄには、指標付けポジションの数が徐々に増える複数の回動ピン台座が示されている。これら図面において、台座は、回動ピン２００ａ，プライム記号付き２００ａ，二重プライム記号付き２００ａおよび三重プライム記号付き２００ａを受容するようそれぞれ図示されている。図９Ａ，図９Ｂ、図９Ｃおよび図９Ｄによれば、回動ピン台座７００および回動ピン２００ａ，２００ａ'，２００ａ''および２００ａ'''はそれぞれの凸部７２０の数と一致する数を有している。ただし当業者は、こうした構成は必要なものではなく、回動ピン２００が、凸部に嵌合する台座７００よりもより少ない凸部を含むことができることを認識するであろう。さらに当業者は、手で操作するために最小の力しか要求しないアセンブリを提供するために最も少ない数の凸部を備える回動ピンを有することが所望されることを認識するであろう。
【００１９】
本明細書においていくつかの実施形態について説明した。当業者は、上記方法および装置が、本発明の全般的な範囲から逸脱することなく組み合わせられて、置換および変更され得ることを認識するであろう。すべてのそうした変更および代替案は、本発明の特許請求の範囲の記載およびその同等物の範囲内にある限りにおいては含まれるよう意図されている。
【００２０】
本発明は上述したとおりのものである。
【符号の説明】
【００２１】
１００，２９０  フック本体
１０２  上面
１０４  底面
１１０  フック部
１１２  フレーム部材
１３０ａ，１３０ｃ  中間ポジション
１３０ｂ  展開ポジション
１４０  回動軸
２００ａ，９３０  上部回動ピン
２００ｂ  底部回動ピン
２１０ａ，２１０ｂ  上部フック部
２１０ｃ，２１０ｄ  下部フック部
２１２  開口
２１４  垂直開口
７００  回動ピン台座
７１０  開口
７２０  凸部
７２２  凹部
９１２  フレーム部材
９１４  ハウジング部材
９２０  フック本体
９２６  フック部
９３２ａ  上部回動ピン台座
９３２ｂ  下部回動ピン台座
９３４  ストップピン
９３６  半円形開口
９３７  タブ
９３８  戻り止め
９３９ａ，９３９ｂ，９３９ｃ  開口
９４０  回動軸
９５０ａ  第１の取り付けタブ
９５０ｂ  第２の取り付けタブ
【図１Ａ】
2013509326.tif 000003
【図１Ｂ】
2013509326.tif 000004
【図１Ｃ】
2013509326.tif 000005
【図２Ａ】
2013509326.tif 000006
【図２Ｂ】
2013509326.tif 000007
【図２Ｃ】
2013509326.tif 000008
【図２Ｄ】
2013509326.tif 000009
【図３Ａ】
2013509326.tif 000010
【図３Ｂ】
2013509326.tif 000011
【図３Ｃ】
2013509326.tif 000012
【図４Ａ】
2013509326.tif 000013
【図４Ｂ】
2013509326.tif 000014
【図４Ｃ】
2013509326.tif 000015
【図５Ａ】
2013509326.tif 000016
【図５Ｂ】
2013509326.tif 000017
【図５Ｃ】
2013509326.tif 000018
【図６Ａ】
2013509326.tif 000019
【図６Ｂ】
2013509326.tif 000020
【図６Ｃ】
2013509326.tif 000021
【図７】
2013509326.tif 000022
【図８Ａ】
2013509326.tif 000023
【図８Ｂ】
2013509326.tif 000024
【図９Ａ】
2013509326.tif 000025
【図９Ｂ】
2013509326.tif 000026
【図９Ｃ】
2013509326.tif 000027
【図９Ｄ】
2013509326.tif 000028
【国際調査報告】
2013509326.tif 000029
2013509326.tif 000030